(57)【要約】【課題】ネットワークを介して接続されるファクシミリ端末装置へのファクシミリ通信の誤送信を生じないファクシミリシステムを提供すること。【解決手段】端末ファクシミリ装置は，管理サーバの前記サーバ側アドレス記憶部を参照できない場合には，自己の端末側アドレス記憶部を参照して該端末側アドレス記憶部に記憶された相手先電話番号を用いて通信を行う一方，上記一次通信手段による通信の途中で，通信相手の電話番号を取得し，その取得した電話番号が通信に用いた相手先と等しいか否かを判断し，そこで取得した電話番号が通信に用いた相手先と等しいと判断された場合には通信を続行すると共に，等しくないと判断された場合には通信を切断するように構成されているので，間違った相手にファクシミリ送信をしてしまうという誤送信の可能性が皆無となる。【選択図】図２
2012049876.tif 000002
【特許請求の範囲】
【請求項１】
ファクシミリ通信の相手先ＩＰアドレスとこれに関連する相手先電話番号を記憶する端末側アドレス記憶部を備えた複数の端末ファクシミリ装置と，複数ユーザのＩＰアドレスとこれに関連する相手先電話番号とを記憶するサーバ側アドレス記憶部であって，前記端末ファクシミリ装置から参照自在のサーバ側アドレス記憶部を備えた管理サーバとを備えたファクシミリシステムであって，
前記端末ファクシミリ装置は，管理サーバの前記サーバ側アドレス記憶部を参照できない場合には，自己の端末側アドレス記憶部を参照して該端末側アドレス記憶部に記憶された相手先電話番号を用いて通信を行う一次通信手段と，
上記一次通信手段による通信の途中で，通信相手の電話番号を取得し，その取得した電話番号が通信に用いた相手先と等しいか否かを判断する電話番号正誤判断手段と，
前記電話番号正誤判断手段によって取得した電話番号が通信に用いた相手先と等しいと判断された場合には通信を続行すると共に，等しくないと判断された場合には通信を切断する最終通信手段とを備えてなるファクシミリシステム。
【請求項２】
前記管理サーバが，ＳＩＰサーバを含んでなる請求項１に記載のファクシミリシステム。
【請求項３】
管理サーバの前記サーバ側アドレス記憶部を参照できない場合が，管理サーバにアクセスできない場合である請求項１あるいは２の何れかに記載のファクシミリシステム。
【請求項４】
管理サーバの前記サーバ側アドレス記憶部を参照できない場合が，管理サーバの前記前記サーバ側アドレス記憶部に該当するデータが存在しない場合である請求項１あるいは２の何れかに記載のファクシミリシステム。
【発明の詳細な説明】
【技術分野】
【０００１】
この発明は，ネットワークを介して接続された複数の端末ファクシミリ装置と，ファクシミリ通信のためのアドレス情報などを記憶管理する管理サーバを備えてなるファクシミリシステムに関する。
【背景技術】
【０００２】
従来，ネットワーク上の管理サーバを介して相手側の通信端末装置と通信する通信端末装置において，前記相手側の通信端末装置と通信している間に当該相手側の通信端末装置のネットワーク上での識別情報を取得する取得手段と，前記管理サーバとの間の通信状態を検出する検出手段と，前記検出手段によって検出された管理サーバとの間の通信状態が通信不能な時に，前記取得手段によって取得された識別情報に基づいて，前記相手側の通信端末装置と直接接続をおこなう接続手段とを備える通信制御方法が，特許文献１に開示されている。
【先行技術文献】
【特許文献】
【０００３】
【特許文献１】特開２００６−２８７４１４号公報
【発明の概要】
【発明が解決しようとする課題】
【０００４】
上記特許文献１に開示された通信制御方法は，相手側の通信端末装置と通信している間に当該相手側の通信端末装置のネットワーク上での識別情報を取得し管理サーバが何らかの理由で通信不能の場合には，取得手段によって取得された識別情報に基づいて，前記相手側の通信端末装置と直接接続をおこなうことが出来るので，通信を確立する可能性が増加する点で優れた効果を奏することが出来るものである。
しかしながら，通信環境の実際においては，相手の居る場所が変わったため，ＩＰアドレスが変化することは往々にして発生するが，ＩＰアドレスは変わっても電話番号は変わらないという場合や，その逆に，ＩＰアドレスは変わらなくても電話番号が変わってしまうという場合があり，上述の従来技術では，ＩＰアドレスだけによって定まる相手に通信を行ってしまうので，間違った相手にファクシミリ送信をしてしまうという誤送信の可能性がある。
従って，本発明は，上述した従来技術における事情に鑑みてなされたものであり，ネットワークを介して接続されるファクシミリ端末装置へのファクシミリ通信の誤送信を生じないファクシミリシステムを提供することを目的とする。
【課題を解決するための手段】
【０００５】
上記目的を達成するために本発明は，
ファクシミリ通信の相手先ＩＰアドレスとこれに関連する相手先電話番号を記憶する端末側アドレス記憶部を備えた複数の端末ファクシミリ装置と，複数ユーザのＩＰアドレスとこれに関連する相手先電話番号とを記憶するサーバ側アドレス記憶部であって，前記端末ファクシミリ装置から参照自在のサーバ側アドレス記憶部を備えた管理サーバとを備えたファクシミリシステムであって，
前記端末ファクシミリ装置は，管理サーバの前記サーバ側アドレス記憶部を参照できない場合には，自己の端末側アドレス記憶部を参照して該端末側アドレス記憶部に記憶された相手先電話番号を用いて通信を行う一次通信手段と，
上記一次通信手段による通信の途中で，通信相手の電話番号を取得し，その取得した電話番号が通信に用いた相手先と等しいか否かを判断する電話番号正誤判断手段と，
前記電話番号正誤判断手段によって取得した電話番号が通信に用いた相手先と等しいと判断された場合には通信を続行すると共に，等しくないと判断された場合には通信を切断する最終通信手段とを備えてなるファクシミリシステムとして構成されている。
このようなファクシミリシステムでは，ＩＰアドレスと対応する電話番号が完全に一致する相手先にのみファクシミリ送信が行われるので，ＩＰアドレスは変わっても電話番号は変わらないという場合や，その逆に，ＩＰアドレスは変わらなくても電話番号が変わってしまうという場合にも，常に正しい端末ファクシミリ装置にファクシミリ送信が行われ，誤送信を生じる可能性が皆無となる。
前記管理サーバとしては，ＳＩＰサーバが適切である。なお，上記ＳＩＰサーバは，管理データをロケーションサーバによって記憶管理するものが好適である。
管理サーバの前記サーバ側アドレス記憶部を参照できない場合としてはいくつかあるが，その一例としては，管理サーバにアクセスできない場合が考えられる。また，管理サーバの前記前記サーバ側アドレス記憶部に該当するデータが存在しない場合もありうる。
【発明の効果】
【０００６】
本発明は以上述べたように，前記端末ファクシミリ装置は，管理サーバの前記サーバ側アドレス記憶部を参照できない場合には，自己の端末側アドレス記憶部を参照して該端末側アドレス記憶部に記憶された相手先電話番号を用いて通信を行う一方，上記一次通信手段による通信の途中で，通信相手の電話番号を取得し，その取得した電話番号が通信に用いた相手先と等しいか否かを判断し，そこで取得した電話番号が通信に用いた相手先と等しいと判断された場合には通信を続行すると共に，等しくないと判断された場合には通信を切断するように構成されているので，間違った相手にファクシミリ送信をしてしまうという誤送信の可能性が皆無となる。
【図面の簡単な説明】
【０００７】
【図１】本発明の一実施形態にかかるファクシミリシステム全体の構成を示すブロック図。
【図２】本発明の一実施形態にかかるファクシミリシステムの制御手順を示すフローチャート。
【発明を実施するための形態】
【０００８】
以下に添付図面を参照して，この発明の一実施形態にかかるファクシミリシステムについて詳細に説明する。
まず，図１を参照して，この発明の実施の形態にかかるファクシミリ端末装置が接続されるファクシミリシステムの構成について説明する。
図１に示されるファクシミリシステムＸにおいて，ＳＩＰ（Ｓｅｓｓｉｏｎ Ｉｎｉｔｉａｔｉｏｎ Ｐｒｏｔｏｃｏｌ）サーバ１０１は，ＳＩＰアドレスと，ＩＰ（Ｉｎｔｅｒｎｅｔ Ｐｒｏｔｏｃｏｌ）アドレス（またはホスト名称）の関連付けデータの登録処理を担うＳＩＰレジストラサーバである。また、ＳＩＰサーバ１０１は、ＳＩＰメッセージの転送や代理送信をおこなうＳＩＰプロキシサーバでもある。
【０００９】
ここで，ＳＩＰとは，ＩＰネットワーク上で，電話の呼設定をするためのプロトコルをいう。ＩＰアドレスとは，具体的には，たとえば，端末ファクシミリ装置に割り当てられたアドレスのことであり，例えば，図１に示した例における，端末ファクシミリ装置１０３ａのＩＰアドレスは「１３３．１３９．１７５．１１２」，端末ファクシミリ装置１０３ｂのＩＰアドレスは「１４５．１１４．１７０．４９」…などである。
プロキシサーバとは，内部ネットワークとインターネットの境にあって，直接インターネットに接続できない内部ネットワークのコンピュータに代わって，代理としてインターネットとの接続をするコンピュータやそのための機能を実現するためのソフトウェアのことをいう。
【００１０】
引用文献ｔ-ネットなどに代表されるネットワーク１０４上の端末ファクシミリ装置１０３ａ，１０３ｂ，１０３ｃ…は，それぞれＳＩＰサーバ１０１（ＳＩＰレジストラサーバ）に対して自端末のＩＰアドレス等の登録の要求をすることができる。ここで，端末ファクシミリ装置とは，具体的には，端末ファクシミリ装置１０３ａ，１０３ｂ，１０３ｃ…のように複数の端末ファクシミリ装置の総称であり，各端末ファクシミリ装置１０３ａ，１０３ｂ，１０３ｃ…は，ＳＩＰによる通信機能を有する端末ファクシミリ装置である。
ロケーションサーバ１０２は，ＳＩＰレジストラサーバによって登録された関連付けデータを管理する機能を持つサーバである。
この実施形態においては，上記ＳＩＰサーバ１０１とその登録データを記憶管理するロケーションサーバ１０２との組み合わせたものを管理サーバ１００と称することとする。
ロケーションサーバ１０２は，登録データとして，相手先名称,ＩＰアドレス,
電話番号などを関連付けて記憶しているのが一般であるが，この実施形態においては，電話番号から相手先名称を求める場合を扱う。
【００１１】
ＳＩＰサーバ１０１，ロケーションサーバ１０２からなる管理サーバ１００，および各端末ファクシミリ装置１０３ａ，１０３ｂ，１０３ｃ…は，インターネット等の同一のネットワーク１０４に接続されている。端末ファクシミリ装置１０３ａ，１０３ｂ，１０３ｃ…は，それぞれ記憶部Ｍを備えており，ＳＩＰ通信時に取得する相手端末の「電話番号」，「ＩＰアドレス」を記憶する。記憶部Ｍは，不揮発性メモリなどのような消去不能の記憶装置であることが好ましい。
【００１２】
つぎに本発明の通信制御装置の動作を図２のフローチャートを用いて説明する。具体的に用いられるのは，Ｔ．３８ＩＰ−ＦＡＸであるが，他のＦＡＸ方式であってもかまわない。また，ＳＩＰ呼接続におけるトランスポート種別は，ＵＤＰ（Ｕｓｅｒ Ｄａｔａｇｒａｍ Ｐｒｏｔｏｃｏｌ）とするが，これは一例であり，他の種別を用いることも可能である。
【００１３】
図２は，「電話番号」から「ＩＰアドレス」を取得して，取得されたＩＰアドレスに基づいてファクシミリ送信を行う送信手順の一例を示すフローチャートである。
ここにＳ１，Ｓ２…は，端末ファクシミリ装置あるいはＳＩＰサーバの制御部が果たす制御手順の番号（識別符号）である。
図２において，端末ファクシミリ装置１０３Ｎ（任意のＮ番目の意味）の制御部は，まず，ＦＡＸの送信相手先としてＵＩ（Ｕｓｅｒ Ｉｎｔｅｒｆａｃｅ）から入力された相手端末の「電話番号」の入力を受け付け，あるいは，選択し，管理サーバへのＳＩＰ発呼を開始する（ステップＳ１）。
上記ＳＩＰ発呼が行われた後，端末ファクシミリ装置Ｎの制御部は，以下の，周知の手順を実行する。
即ち，予め設定されているＳＩＰサーバ１０１に対するトランスポート種別ＵＤＰまたはＴＣＰ（この例では，ＵＤＰ）によってセッションをオープンし，セッションのオープンに成功した場合には，ＳＩＰサーバ１０１にＩＮＶＩＴＥを送信する。また，ＳＩＰサーバ１０１からＩＮＶＩＴＥに対する最終応答信号を受信したかを判断し，最終応答信号を受信した場合には，ＳＩＰサーバ１０１にＡＣＫ（Ａｃｋｎｏｗｌｅｄｇｅｍｅｎｔ）を送信する。
ここで，ＡＣＫとは，送信先のＳＩＰサーバ１０１から送信元の端末ファクシミリ装置Ｎに送られる肯定的な返事（最終応答信号を受信した旨）をいう。そして，受信した最終応答信号が２００＿ＯＫか（受信した最終応答信号が何か（応答信号の種類））を判断する。
即ち，ユーザが入力あるいは選択した電話番号によって，ＳＩＰサーバから，上記電話番号に対応する（関連付けされた）端末ファクシミリ装置のＩＰアドレスを取得することが出来た場合（Ｓ２でＹｅｓ），具体的には，受信した最終応答信号が２００＿ＯＫである場合，２００＿ＯＫ信号のＣｏｎｔａｃｔヘッダ行から相手端末（この例では，相手先端末ファクシミリ装置）のＩＰアドレスを取得する。
【００１４】
この実施形態では，端末ファクシミリ装置１０３Ｎが，ＳＩＰサーバの記憶部を参照できたかどうかで，ＩＰアドレスを取得できたかどうかを判断しているが，そもそもＳＩＰサーバ自体が，故障などの原因で，アクセスできない場合も，ＩＰアドレスを取得できない場合の一例と考えられる。
上記のように，記憶部ＭにＩＰアドレスを記憶したら，つぎに，相手端末ファクシミリ装置との間でＴ．３８データ転送用のセッション（Ｔ．３８セッション）を確立し，上記ＩＰアドレスを用いてＦＡＸデータを送信する（Ｓ３）。そして，ＳＩＰサーバ１０１にＢＹＥを送信して，ＳＩＰサーバ１０１から最終応答信号を受信するのを待ち，最終応答信号を受信したら，ＳＩＰダイアログＡを終了し，Ｓ１で入力された「電話番号」と「ＩＰアドレス」を一対として記憶部Ｍに記憶する（Ｓ４）。
ここで記憶された「電話番号」と「ＩＰアドレス」の一対が，後記するＳ５において，参照される。従って，端末ファクシミリ装置１０３Ｎの記憶部Ｍのデータは，ファクシミリ通信が行われる都度更新されるので，常に新しいデータを保持することになる。
記憶部Ｍに古い「電話番号」と「ＩＰアドレス」の組がある場合には，別情報として記憶するか，あるいは上書きしてもよい。
これにより，一連の処理を終了する。
受信した応答信号が２００＿ＯＫでない場合（受信した最終応答信号が４××の場合）（Ｓ２でＮｏ），ステップＳ５において，前記Ｓ１で入力，あるいは選択された電話番号に対応した端末ファクシミリ装置の「ＩＰアドレス」が，自己の記憶部Ｍに記憶されているかどうかを判断する。
ここで対応するＩＰアドレスが記憶されていれば，このＩＰアドレスに対して前記Ｓ３におけると同様に通信処理をおこなう（Ｓ６）。詳細は，前記Ｓ３と同様であるので説明を省略する。
【００１５】
更に，端末ファクシミリ装置１０３Ｎの制御部は，上記通信処理中に，相手先端末ファクシミリ装置との送受信信号から，相手先端末ファクシミリ装置の電話番号を取得する（Ｓ７）。
このような相手先端末ファクシミリ装置の電話番号を取得することは，ファクシミリにおける一般的な通信手段におけるＣＳＩ信号から得られるものであり，従来周知の手段であるので，ここでは詳細を省略する。
【００１６】
続いて，端末ファクシミリ装置１０３Ｎの制御部は，取得した相手先端末ファクシミリ装置の電話番号と自己の記憶部Ｍに記憶された電話番号を比較し，一致するかどうかを判断する（Ｓ８）。
自己の記憶部Ｍに記憶された電話番号は，前記Ｓ４の処理で取得した電話番号であるので，少なくとも過去に正常なファクシミリ通信に成功したことのある電話番号である。従って，上記Ｓ８で，取得した相手先端末ファクシミリ装置の電話番号と自己の記憶部Ｍに記憶された電話番号が一致すれば，その電話番号に対応するＩＰアドレスは，相手先端末ファクシミリ装置の正しいＩＰアドレスであると判断しうる。
しかし，上記Ｓ８で，取得した相手先端末ファクシミリ装置の電話番号と自己の記憶部Ｍに記憶された電話番号が一致しなければ，ここで使用したＩＰアドレスは，正しいものである可能性もあるが，実際の相手先ＩＰアドレスではない可能性を含んでいる。
そのため，上記Ｓ８で，取得した相手先端末ファクシミリ装置の電話番号と自己の記憶部Ｍに記憶された電話番号が一致すれば，記憶部Ｍから参照したＩＰアドレスを使って，そのままファクシミリ送信を行う（Ｓ９）。
【００１７】
また，Ｓ８において，取得した相手先端末ファクシミリ装置の電話番号と自己の記憶部Ｍに記憶された電話番号が一致しなければ，送信エラーとして，端末ファクシミリ装置１０３Ｎをリダイアル待機状態とし，取得した相手先端末ファクシミリ装置の電話番号に対応して前記憶部Ｍに記憶されたＩＰアドレスをクリアして（Ｓ１０），終了する。
【００１８】
なお，本実施の形態で説明した通信制御方法は，予め用意されたプログラムをパーソナル・コンピュータやワークステーション等のコンピュータで実行することにより実現することができる。このプログラムは，ハードディスク，フレキシブルディスク，ＣＤ−ＲＯＭ，ＭＯ，ＤＶＤ等のコンピュータで読み取り可能な記録媒体に記録され，コンピュータによって記録媒体から読み出されることによって実行される。またこのプログラムは，インターネット等のネットワークを介して配布することが可能な伝送媒体であってもよい。
【産業上の利用可能性】
【００１９】
以上のように，本発明にかかるファクシミリシステムは，ネットワークを介した相手側の端末とのファクシミリ通信に有用であり，特に，ＳＩＰサーバを有するＩＰネットワークに適している。
【符号の説明】
【００２０】
１００…管理サーバ
１０１…ＳＩＰサーバ
１０２…ロケーションサーバ
１０３ａ，１０３ｂ，１０３ｃ…端末ファクシミリ装置
１０４…ネットワーク
Ｍ…記憶部
【図１】
2012049876.tif 000003
【図２】
2012049876.tif 000004